(57)【要約】【課題】柱上の腕金に対する機器の取り付け、取り外しを良好に行う。【解決手段】袋本体１００の開口側に、一端および他端が開口側の互いに対向する位置に取り付けられた取り付けロープ１０２が設けられている。取り付けロープ１０２は、通い綱で吊り上げ、吊り下ろしを行う際に、当該通い綱を取り付けるために使用される。袋本体１０１の開口側に、仮止めロープ１０３および留め具１０４が設けられている。機器が収納された収納袋１００を柱上の腕金の近くに吊り上げた状態で、腕金に回された仮止めロープ１０３の他端を留め具１０４に固定することで、収納袋１００の保持を、通い綱による保持から、仮止めロープ１０３による保持に移すことができる。袋本体１０１の開口側に存在する取り付けロープ１０２を、通い綱による引っ張り力による緊張状態から解放でき、袋本体１０１に収納されている機器の腕金への取り付けが容易となる。【選択図】図１
2008187815.tif 000002
【特許請求の範囲】
【請求項１】
有底筒状の袋本体と、
上記袋本体の開口側の互いに対向する位置に一端および他端が取り付けられた取り付けロープと、
上記袋本体の開口側の第１の位置に一端が取り付けられた仮止めロープと、
上記袋本体の開口側の上記第１の位置に対向した位置に取り付けられた、上記仮止めロープの他端側を固定するための留め具と
を有することを特徴とする収納袋。
【請求項２】
上記袋本体の開口側を覆う巾着構造をさらに有する
ことを特徴とする請求項１に記載の収納袋。
【請求項３】
有底筒状の袋本体と、該袋本体の開口側の互いに対向する位置に一端および他端が取り付けられた取り付けロープと、上記袋本体の開口側の第１の位置に一端が取り付けられた仮止めロープと、上記袋本体の開口側の上記第１の位置に対向した位置に取り付けられた、上記仮止めロープの他端側を固定するための留め具とを有する収納袋を使用して柱上の腕金に機器を取り付ける機器取り付け方法であって、
上記機器が収納された上記収納袋を、上記取り付けロープに一端が取り付けられ、上記腕金に回された通い綱を用いて、上記腕金の近くまで吊り上げる第１の工程と、
上記仮止めロープを上記腕金に回し、該仮止めロープの他端側を上記留め具に仮固定する第２の工程と、
上記仮止めロープの他端側を引っ張り、上記収納袋の保持を、上記通い綱による保持から上記仮止めロープによる保持に移し、該仮止めロープを上記留め具に固定する第３の工程と、
上記収納袋に収納されている上記機器を上記腕金に取り付ける第４の工程と
を有することを特徴とする機器取り付け方法。
【請求項４】
有底筒状の袋本体と、該袋本体の開口側の互いに対向する位置に一端および他端が取り付けられた取り付けロープと、上記袋本体の開口側の第１の位置に一端が取り付けられた仮止めロープと、上記袋本体の開口側の上記第１の位置に対向した位置に取り付けられた、上記仮止めロープの他端側を固定するための留め具とを有する収納袋を使用して柱上の腕金に取り付けられている機器を取り外す機器取り外し方法であって、
上記腕金に取り付けられている機器を、上記腕金を回された通い綱の一端が上記取り付けロープに取り付けられた上記収納袋に収納する第１の工程と、
上記収納袋の上記仮止めロープを上記腕金に回し、該仮止めロープの他端側を上記留め具に固定する第２の工程と、
上記収納袋に収納された機器を上記腕金から取り外す第３の工程と、
上記仮止めロープの他端側の、上記留め具に対する固定を緩め、上記収納袋の保持を、上記仮止めロープによる保持から、上記通い綱による保持に移す第４の工程と、
上記仮止めロープの他端を上記留め具から外し、上記機器が収納された上記収納袋を、上記通い綱を用いて吊り下ろす第５の工程と
を有することを特徴とする機器取り外し方法。
【発明の詳細な説明】
【技術分野】
【０００１】
この発明は、例えば、柱上の腕金に機器を取り付ける際、あるいは柱上の腕金に取り付けられた機器を取り外す際に使用して好適な収納袋、機器取り付け方法および機器取り外し方法に関する。
【背景技術】
【０００２】
従来、配電系統の電柱に、電圧調整設備としてのバランサ（低電圧用電圧調整器）を取り付けることが行われている。例えば、バランサは、柱上に固定された腕金に取り付けられている。
【０００３】
図６は、低圧配電の引き留め部分の構成例を示している。電柱２０１には腕金２０２がいわゆる縫いボルト２０３を用いて取り付けられている。腕金２０２には、ブラケット２０４を介して碍子２０５が固定されている。碍子２０５には引き留めクランプ２０６のＵ字状のハンガーロッド２０７が掛止されている。電線２０８は、引き留めクランプ２０６で挟持されることで、引き留められている。
【０００４】
腕金２０２には、バランサ２１１が取り付けられている。この場合、バランサ２１１は、当該バランサ２１１の外筐上部に設けられている取り付け金具２１２により、腕金２０２に吊り下げられた状態とされている。なお、図６においては、図面を簡単にするため、引き留めクランプ２０６で引き留められた電線２０８とバランサ２１１の端子との接続部分の図示を省略している。
【０００５】
従来においては、腕金２０２にバランサ２１１を取り付ける際、作業者は、例えば、図７（ａ），（ｂ）に示すように、通い綱２２１の一端側を、取り付け金具２１２、あるいはバランサ２１１本体に取り付け、図８（ａ），（ｂ）に示すように、腕金２０２の上を回した通い綱２２１の他端側を引っ張り、当該バランサ２１１を腕金２０２の位置に引っ張り上げ、その後、取り付け金具２１２を用いて、当該バランサ２１１を腕金２０２に取り付ける。
【０００６】
また、従来においては、腕金２０２にバランサ２１１を取り付ける際、図９に示すような、収納袋（工具袋）２３０を使用することが知られている。この収納袋２３０は、例えば布製の有底円筒状の袋本体２３０ａと、この袋本体２３０ａの開口側の互いに対向する位置に一端および他端が取り付けられた取り付けロープ２３０ｂとを有している。このような収納袋は、例えば、特許文献１等に記載されている。
【０００７】
図９に示す収納袋２３０を用いて、腕金２０２にバランサ２１１を取り付ける際、作業者は、例えば、図１０(ａ)に示すように、バランサ２１１が収納された収納袋２３０の取り付けロープ２３０ｂに通い綱２２１の一端側を取り付け、図１０（ｂ）に示すように、腕金２０２の上を回した通い綱２２１の他端側を引っ張り、当該収納袋２３０を腕金２０２の位置に引っ張り上げ、その後、取り付け金具２１２を用いて、バランサ２１１を腕金２０２に取り付ける。
【特許文献１】実開平６−３６７９０号公報
【発明の開示】
【発明が解決しようとする課題】
【０００８】
図７（ａ），（ｂ）に示すように、通い綱２２１の一端側を、取り付け金具２１２、あるいはバランサ２１１本体に取り付けて、当該バランサ２１１を腕金２０２の位置に引っ張り上げるものの場合には、以下のような、問題があった。すなわち、図７（ａ），（ｂ）に示すように、バランサ２１１が傾いた状態で引っ張り上げられるので、当該バランサ２１１の内部に入っている絶縁油が外部に漏れるおそれがある。また、腕金２０２の位置に引っ張り上げられたバランサ２１１は、図８（ａ），（ｂ）に示すように、腕金２０２に対して傾いた状態にあるため、バランサ２１１を取り付け金具２１２で腕金２０２に取り付ける際に取り付け難い。
【０００９】
また、図１０（ａ）に示すように、バランサ２１１を収納袋２３０に収納し、通い綱２２１の一端側を取り付けロープ２３０ｂに取り付けて、当該収納袋２３０を腕金２０２の位置に引っ張り上げるものの場合には、以下のような問題があった。すなわち、腕金２０２の位置に収納袋２３０が引っ張り上げられた後に、当該収納袋２３０に収納されているバランサ２１１を腕金２０２に取り付ける際に、収納袋２３０の開口側に存在する取り付けロープ２３０ｂが邪魔をし、バランサ２１１を収納袋２３０から取り出し難い。
【００１０】
なお、上述では、腕金２０２にバランサ２１１を取り付ける場合について説明したが、腕金２０２に取り付けられているバランサ２１１の取り外しは取り付け時とは逆の手順で行われる。その場合にも、取り付け時と同様の問題がある。すなわち、通い綱２２１の一端側を、取り付け金具２１２、あるいはバランサ２１１本体に取り付けて、バランサ２１１を吊り下ろす場合には、バランサ２１１が傾いた状態で下ろされるので、当該バランサ２１１の内部に入っている絶縁油が外部に漏れるおそれがある。また、バランサ２１１を収納袋２３０に収納して吊り下ろす場合、バランサ２１１を腕金２０２から取り外した後に、当該バランサ２１１を収納袋２３０に収納しており、取り付けロープ２３０ａが邪魔となって、バランサ２１１を収納袋２３０に入れ難く、また、バランサ２１１を収納袋２３０に収納する際にバランサ２１１が傾き、当該バランサ２１１の内部に入っている絶縁油が外部に漏れるおそれがあった。
【００１１】
この発明の目的は、柱上の腕金に対する機器の取り付け、取り外しを良好に行うための収納袋等を提供することにある。
【課題を解決するための手段】
【００１２】
この発明に係る収納袋は、
有底筒状の袋本体と、
上記袋本体の開口側の互いに対向する位置に一端および他端が取り付けられた取り付けロープと、
上記袋本体の開口側の第１の位置に一端が取り付けられた仮止めロープと、
上記袋本体の開口側の上記第１の位置に対向した位置に取り付けられた、上記仮止めロープの他端側を固定するための留め具と
を有するものである。
【００１３】
この収納袋においては、袋本体の開口側に、一端および他端が開口側の互いに対向する位置に取り付けられた取り付けロープが設けられている。そのため、この取り付けロープに一端が接続されると共に柱上の腕金に回された通い綱を用いることで、この収納袋を、機器が収納された状態で、吊り上げること、あるいは吊り下ろすことが可能となる。収納袋は、袋本体の開口側を覆う巾着構造をさらに有するようにしてもよい。この巾着構造により袋本体の開口側を閉じておくことで、例えば、吊り上げあるいは吊り下ろしの際に収納袋に収納されている油入り機器が傾いた状態となり、当該機器から絶縁油が漏れた場合であっても、漏れた絶縁油が収納袋からこぼれる落ちることを防止できる。
【００１４】
また、この収納袋においては、袋本体の開口側に、仮止めロープおよび留め具が設けられている。この場合、仮止めロープの一端は第１の位置に取り付けられており、留め具は第１の位置に対向した第２の位置に取り付けられている。そのため、機器が収納された収納袋が柱上の腕金の近くに吊り上げられた状態で、腕金に回された仮止めロープの他端を留め具に固定することで、収納袋の保持を、上述の通い綱による保持から、仮止めロープによる保持に移すことができる。したがって、袋本体の開口側に位置する取り付けロープを、通い綱による引っ張り力による緊張状態から解放でき、収納袋に収納されている機器の取り付けを、取り付けロープに邪魔されずに行うことができる。
【００１５】
この発明の収納袋を使用した、柱上の腕金への機器の取り付けは、例えば、以下の第１〜第４の工程を有するものとされる。第１の工程では、機器が収納された収納袋が、取り付けロープに一端が取り付けられた通い綱を用いて腕金の近くまで吊り上げられる。第２の工程では、仮止めロープが腕金に回され、当該仮止めロープの他端側が留め具に仮固定される。第３の工程では、仮止めロープの他端側が引っ張られて、収納袋の保持が、通い綱による保持から仮止めロープによる保持に移される。第４の工程では、収納袋に収納されている機器が腕金に取り付けられる。この場合、収納袋の保持が通い綱による保持から仮止めロープによる保持に移されているので、収納袋に収納されている機器の腕金への取り付けを、取り付けロープに邪魔されずに行うことができる。
【００１６】
また、この発明の収納袋を使用した、柱上の腕金からの機器の取り外しは、例えば、以下の第１〜第５の工程を有するものとされる。第１の工程では、腕金に取り付けられている機器が、腕金を回された通い綱の一端が取り付けロープに取り付けられた収納袋に収納される。この場合、機器は腕金に取り付けられているので、当該機器を収納袋に収納することが容易である。第２の工程では、収納袋の仮止めロープが腕金に回され、この仮止めロープの他端側が留め具に固定される。第３の工程では、収納袋に収納された機器が腕金から取り外される。この場合、収納袋は仮止めロープで腕金に吊された状態にあるので、収納袋に収納されている機器は、腕金から取り外された際にもその位置が大きく変化することがなく、油入り機器が傾いた状態となって当該機器から絶縁油が漏れるということがなくなる。
【００１７】
第４の工程では、仮止めロープの他端側の留め具に対する固定が緩められ、収納袋の保持が、仮止めロープによる保持から、通い綱による保持に移される。この場合、収納袋の保持が仮止めロープによる保持から通い綱による保持に移る際に、当該収納袋の水平方向の位置が変化するが、仮止めロープの他端側の留め具に対する固定を徐々に緩めることで、収納袋の水平位置の変化を緩やかにでき、油入り機器が傾いた状態となって、当該機器から絶縁油が漏れるということを防止できる。第５の工程では、仮止めロープの他端が留め具から外され、機器が収納された収納袋は、通い綱を用いて吊り下ろされる。
【発明の効果】
【００１８】
この発明によれば、柱上の腕金に対する機器の取り付け、取り外しを良好に行うことができる。
【発明を実施するための最良の形態】
【００１９】
図１は、実施の形態としての、収納袋１００の構造を示している。この収納袋１００は、袋本体１０１と、取り付けロープ１０２と、仮止めロープ１０３と、留め具１０４と、巾着構造１０５とを有している。
【００２０】
袋本体１０１は、例えば布製であって、有底円筒状の形状とされている。なお、必ずしも円筒状である必要はなく、角筒状であってもよい。袋本体１０１の内部には防水コーティングが施されている。これは、袋本体１０１の内部に収納した油入り機器、例えばバランサ等から絶縁油が漏れた場合であっても、当該絶縁油が袋本体１０１の外部に漏れ出ないようにするためである。
【００２１】
取り付けロープ１０２の一端および他端は、袋本体１０１の開口側の互いに対向する位置に、縫い付け、接着等の方法により、強固に取り付けられている。収納袋１００は、後述するように、この取り付けロープ１０２に、柱上の腕金を回された通い綱の一端を取り付けることにより、その内部に腕金に取り付ける機器、例えばバランサを収納した状態で、当該通い綱を用いて吊り上げおよび吊り下ろしが可能となる。
【００２２】
仮止めロープ１０３の一端は袋本体１０１の開口側の第１の位置に縫い付け、接着等の方法で、強固に取り付けられている。この仮止めロープ１０３の他端は袋本体１０１に接続されていない。この仮止めロープ１０３の他端側には、留め具１０４に固定した際に、当該他端が抜け落ちるのを防止するために、仮止めロープ１０３とは別部材である抜け防止具１０６が取り付けられている。なお、このように仮止めロープ１０３の他端側に抜け防止具１０６を取り付ける代わりに、当該他端にこぶ状の結び目を作るようにしてもよい。
【００２３】
留め具１０４は、袋本体１０１の、上述した仮止めロープ１０３の一端が取り付けられた第１の位置に対向した第２の位置に、取り付けられる。この場合、第１の位置と第２の位置は、厳格に１８０度の角間隔をもった位置にある必要はなく、ほぼ１８０度の各間隔をもった位置にあればよい。この留め具１０４は、袋本体１０１に直接取り付けられているのではなく、固定ロープ１０７を介して、袋本体１０１に取り付けられている。この場合、固定ロープ１０７が留め具１０４に設けられている丸穴１０４ａに通された状態で、当該固定ロープ１０７の一端および他端が、袋本体１０１の開口側の第２の位置に、縫い付け、接着等の方法で、強固に取り付けられている。
【００２４】
図２（ａ），（ｂ）は、留め具の構造および袋本体１０１への取り付け状態の概要を示している。図２（ａ）は、留め具部分の正面図であり、巾着構造１０５の図示は省略している。図２（ｂ）は、留め具部分の側面図であり、袋本体１０１および巾着構造１０５は断面として示している。なお、図２（ａ），（ｂ）に示すように、袋本体１０１の開口側の端部には肉厚の縁部１０１ａが設けられ、当該袋本体１０１の開口側の形状を円形に保つようにされている。
【００２５】
留め具１０４は全体として平板状に形成されており、仮止めロープ１０３を取り回すための４個のほぼ円形の切り欠き部１０４ｂ〜１０４ｅと、この仮止めロープ１０３を固定するための端部が膨らんだ棒状の突出部１０４ｆとを有している。この留め具１０４に仮止めロープ１０３を固定する場合、当該仮止めロープ１０３は、図２(ａ)に矢印を付した経路で切り欠き部１０４ｂ〜１０４ｅを取り回されていき、最後に仮止めロープ１０３に作った輪が突起部１０４ｆに差し込まれる。
【００２６】
図３(ａ)〜（ｈ）は、留め具１０４に仮止めロープ１０３を固定する際の当該仮止めロープ１０３の取り回しの経路を示している。まず、図３（ａ），（ｂ）に示すように、仮止めロープ１０３は、留め具１０４の裏側から切り欠き部１０４ｂを通って表側に取り出される。次に、図３（ｃ）に示すように、仮止めロープ１０３は、留め具１０４の表側から切り欠き部１０４ｃを通って裏側に取り出される。次に、図３（ｄ），(ｅ)に示すように、仮止めロープ１０３は、留め具１０４の裏側から切り欠き部１０４ｄを通って表側に取り出される。
【００２７】
次に、図３（ｆ）に示すように、仮止めロープ１０３は、留め具１０４の表側から切り欠き部１０４ｅを通って裏側に取り出される。次に、図３（ｇ）に示すように、留め具１０４の裏側に取り出された仮止めロープ１０３に輪が形成され、図３（ｈ）に示すように、この輪が突起部１０４ｆに差し込まれる（図２(ａ)参照）。これにより、仮止めロープ１０３の、留め具１０４への固定が完了する。
【００２８】
なお、後述するように、留め具１０４に固定した仮止めロープ１０３の固定位置を一端側（袋本体１０１に取り付けられている）に動かす場合には、作業者は、上述したように突起部１０４ｆに差し込まれた輪を外し、切り欠き部１０４ｂ〜１０４ｅを通った状態のままで仮止めロープ１０３を引っ張り、当該仮止めロープ１０３に対する留め具１０４の位置を変更すればよい。
【００２９】
図２(ａ)，（ｂ）には図示を省略しているが、仮止めロープ１０３の他端側に、上述したように、抜け留め具１０６が設けられている（図１参照）。そのため、仮止めロープ１０３を留め具１０４に固定した後に、何らかの原因で留め具１０４の位置が仮止めロープ１０３の他端側の端部の方向に移動していった場合であっても、抜け留め具１０６が切り欠き部１０４ｂ〜１０４ｆ等に引っかかるので、仮止めロープ１０３の留め具１０４からの抜けが防止される。
【００３０】
図１に戻って、巾着構造１０５は、袋本体１０１の開口側に取り付けられている。この巾着構造１０５は、例えば、内部が防水コーティング処理された布で形成されている。この場合、図２（ｂ）に示すように、巾着構造１０５の下端部が、袋本体１０１の縁部１０１ａに接着等の方法で接続されている。この巾着構造１０５は、上端側をすぼめた状態で紐１０８により括ることで、袋本体１０１の開口側を覆うことが可能となっている。
【００３１】
図１に示す収納袋１００によれば、袋本体１０１の開口側に、一端および他端が開口側の互いに対向する位置に取り付けられた取り付けロープ１０２が設けられている。そのため、この取り付けロープ１０２に一端が接続されると共に柱上の腕金に回された通い綱を用いることで、この収納袋１００を、機器が収納された状態で、吊り上げること、あるいは吊り下ろすことができる。
【００３２】
また、図１に示す収納袋１００によれば、袋本体１０１の開口側に、当該開口側を覆う巾着構造１０５が設けられている。そのため、この巾着構造１０５により開口側を閉じておくことで、例えば、吊り上げあるいは吊り下ろしの際に収納袋１００に収納されている油入り機器が傾いた状態となり、当該機器から絶縁油が漏れた場合であっても、漏れた絶縁油が収納袋１００からこぼれる落ちることを防止できる。
【００３３】
また、図１に示す収納袋１００によれば、袋本体１０１の開口側に、仮止めロープ１０３および留め具１０４が設けられている。そのため、機器が収納された収納袋１００が通い綱を用いて柱上の腕金の近くに吊り上げられた状態で、腕金に回された仮止めロープ１０３の他端を留め具１０４に固定することで、収納袋１００の保持を、上述の通い綱による保持から、仮止めロープ１０３による保持に移すことができる。これにより、袋本体１０１の開口側に位置する取り付けロープ１０２を、通い綱による引っ張り力による緊張状態から解放でき、収納袋１００に収納されている機器の腕金への取り付けを、取り付けロープ１０２に邪魔されずに、容易に行うことができる。
【００３４】
次に、図４（ａ）〜（ｅ）および図５（ａ）〜(ｅ)を参照して、上述の収納袋１００を使用して柱上の腕金にバランサ２１１を取り付ける場合の手順を説明する。
【００３５】
まず、作業者は、図４（ａ）に示すように、バランサ２１１を収納袋１００の袋本体１０１に収納し、この袋本体１０１の開口側を巾着構造１０５により閉じる。そして、作業者は、図４(ａ)に示すように、腕金２０２に回された通い綱２２１の一端を取り付けロープ１０２に結んで取り付け、その後に、当該通い綱２２１の他端側を引っ張り、腕金２０２に近づくように収納袋１００を吊り上げていく。
【００３６】
次に、作業者は、図４（ｂ）に示すように、収納袋１００を腕金２０２の近くまで吊り上げた状態で、仮止めロープ１０３を腕金２０２に回し、さらに、図４（ｃ）に示すように、仮止めロープ１０３の他端側を留め具１０４に仮固定する。この仮止めロープ１０３の留め具１０４への仮固定は、仮止めロープ１０３が、上述の図２（ａ），（ｂ）に示すような経路で取り回されることで、行われる。
【００３７】
次に、作業者は、図４（ｄ）に示すように、仮止めロープ１０３をゆっくり引っ張り、当該仮止めロープ１０３の固定位置を一端側（袋本体１０１に取り付けられている）に動かし、収納袋１００の腕金２０２に対する保持を、通い綱２２１による保持から、仮止めロープ１０３による保持に移す。そして、作業者は、この状態で、仮止めロープ１０３を、留め具１０４に固定する。
【００３８】
次に、作業者は、図４（ｅ）に示すように、巾着構造１０５の上端側を開いて、当該巾着構造１０５を袋本体１０１の開口端まで引き下ろし、当該袋本体１０１に収納されているバランサ２１１が露出した状態とする。
【００３９】
次に、作業者は、図５（ａ）に示すように、仮止めロープ１０３をさらに引っ張り、収納袋１０１を腕金２０２にさらに近づけ、当該仮止めロープ１０３を、留め具１０４に再固定する。そして、作業者は、図５（ｂ）に示すように、バランサ２１１の取り付け金具２１２を、腕金２０２に取り付ける。これにより、バランサ２１１は、柱上の腕金２０２に取り付けられる。
【００４０】
次に、作業者は、図５（ｃ）に示すように、仮止めロープ１０３の留め具１０４に対する固定を緩め、そして、図５（ｄ）に示すように、当該仮止めロープ１０３を留め具１０４から取り外す。そして、作業者は、図５（ｅ）に示すように、通い綱２２１を用いて、収納袋１００を吊り下ろす。
【００４１】
上述のバランサ２１１の取り付け方法によれば、収納袋１００の腕金２０２に対する保持を通い綱２２１による保持から仮止めロープ１０３による保持に移した後に、図４（ｅ）、図５（ａ），（ｂ）に示すように、バランサ２１１の上部に存在する取り付け金具２１２が腕金２０２に取り付けられる。そのため、バランサ２１１を腕金２０２に取り付ける際には、袋本体１０１の開口側の取り付けロープ１０２はもはや緊張した状態になく、バランサ２１１の腕金２０２への取り付けを、取り付けロープ１０２に邪魔されることなく、容易に行うことができる。
【００４２】
また、上述のバランサ２１１の取り付け方法によれば、図４（ｃ），（ｄ）に示すように、収納袋１００の腕金２０２に対する保持が、通い綱２２１による保持から、仮止めロープ１０３による保持に移されるとき、収納袋１００の水平方向位置が移動し、バランサ２１１は腕金２０２の直下に位置するようになる。そのため、その後、図５（ａ）に示すように、仮止めロープ１０３を引っ張り、収納袋１００を腕金２０２に近づけていくことで、バランサ２１１の取り付け金具２１２を腕金２０２の取り付け部分に位置させることができ、図５（ｂ）に示すように、バランサ２１１の取り付け金具２１２を腕金２０２に容易に取り付けることができる。また、この場合、バランサ２１１を腕金２０２に取り付ける際に、当該バランサ２１１の水平方向の位置が大きく動くことがなく、当該バランサ２１１を安定した状態で腕金２０２に取り付けることができ、バランサ２１１が傾いた状態となって当該バランサ２１１から絶縁油が漏れるということはなくなる。
【００４３】
なお、詳細説明は省略するが、上述の収納袋１００を使用して柱上の腕金２０２からバランサ２１１を取り外す場合の手順は、上述の取り付け手順（図４（ａ）〜（ｅ）および図５（ａ）〜(ｅ)を参照）とは逆の手順で行われる。
【００４４】
このバランサ２１１の取り外し方法によれば、図５（ｅ）に示すように、バランサ２１１が腕金２０２に取り付けられている状態で、当該バランサ２１１が収納袋１００の袋本体１０１に収納されるものであり、バランサ２１１の収納袋１００への収納に容易となる。
【００４５】
また、このバランサ２１１の取り外し方法によれば、図５（ｂ）に示すように、腕金２０２に仮止めロープ１０３で吊された収納袋１００が、袋本体１０１の底面がバランサ２１１の最下部に当接する状態まで近づけられ、その状態で、図５（ａ）に示すように、腕金２０２からバランサ２１１の取り付け金具２１２が取り外されるものである。そのため、バランサ２１１が腕金２０２から取り外された際に、当該バランサ２１１の位置が大きく変化することがなく、バランサ２１１が傾いた状態となって絶縁油が漏れるということはなくなる。
【００４６】
また、このバランサ２１１の取り外し方法によれば、図５（ａ）、図４（ｅ），（ｄ），（ｄ）に示すように、仮止めロープ１０３の他端側の留め具１０４への固定が徐々に緩められ、収納袋１００が、仮止めロープ１０３による保持から、通い綱２２１による保持に移されるものである。そのため、収納袋１００の保持が仮止めロープ１０３による保持から通い綱２２１による保持に移る際に、当該収納袋１００の水平方向の位置が変化するが、仮止めロープ１０３の他端側の留め具１０４に対する固定が徐々に緩められることで、収納袋１００の水平位置の変化を緩やかにでき、バランサ２１１が傾いた状態となって、当該バランサ２１１から絶縁油が漏れるということを防止できる。
【００４７】
なお、上述実施の形態においては、腕金２０２に取り付ける機器としてバランサ２１１を例にあげたが、この発明の収納袋１００は、一般的に、腕金２０２に機器を取り付ける際、および腕金２０２から機器の取り外す際に、適用して好適なものである。
【産業上の利用可能性】
【００４８】
この発明は、柱上の腕金に機器を取り付ける際、あるいは柱上の腕金に取り付けられた機器を取り外す際に使用できる。
【図面の簡単な説明】
【００４９】
【図１】実施の形態としての収納袋の構造を示す斜視図である。
【図２】仮止めロープを固定するための留め具の構造と、この留め具の袋本体への取り付け状態を示す図である。
【図３】仮止めロープを留め具に固定する際の、当該仮留めローブの留め具に対する取り回し経路を説明するための図である。
【図４】柱上の腕金にバランサを取り付ける際の手順（１／２）を示す図である。
【図５】柱上の腕金にバランサを取り付ける際の手順（２／２）を示す図である。
【図６】低圧配電の引き留め部分の構成例を示す概略斜視図である。
【図７】バランサを吊り上げる際の、バランサへの通い綱の取り付け例を示す図である。
【図８】通い綱によって腕金位置に吊り上げられたバランサの状態例を示す図である。
【図９】腕金にバランサを取り付ける際に従来使用されている収納袋（工具袋）の構造を示す斜視図である。
【図１０】収納袋に収納されたバランサの収納状態の一例、および通い綱によって腕金位置に吊り上げられた収納袋の状態例を示す図である。
【符号の説明】
【００５０】
１００・・・収納袋、１０１・・・袋本体、１０１ａ・・・縁部、１０２・・・取り付けロープ、１０３・・・仮止めロープ、１０４・・・留め具、１０５・・・巾着構造、１０６・・・抜け防止具、１０７・・・固定ロープ、１０８・・・紐、２０２・・・腕金、２１１・・・バランサ、２１２・・・取り付け金具、２２１・・・通い綱
【図１】
2008187815.tif 000003
【図２】
2008187815.tif 000004
【図３】
2008187815.tif 000005
【図７】
2008187815.tif 000006
【図８】
2008187815.tif 000007
【図９】
2008187815.tif 000008
【図１０】
2008187815.tif 000009
【図４】
2008187815.tif 000010
【図５】
2008187815.tif 000011
【図６】
2008187815.tif 000012